(57)【要約】【課題】  主に電子部品として利用される粘着層を有するウェブ状物品を切断するための鋭利な刃角を備えた各種刃物の刃先側面に粘着剤が付着したり、粘着層の刃物表面への貼り付き現象を軽減し、粘着層を有するウェブ状物品を精度よく綺麗に切断することが出来るふっ素樹脂被覆刃物を提供すること。【解決手段】  ふっ素樹脂被覆刃物の刃先先端のふっ素樹脂を刃物本体へのふっ素樹脂被覆後に研磨テープ等によって微小幅だけ除去する。そして除去されたことによって刃物本体が露出する部分の刃先先端からの露出幅をウェブ状物品６のベース材７の厚さよりも小さな値となるようにする。【選択図】      図３
2005288583.tif 000002
【特許請求の範囲】
【請求項１】
少なくとも一つのベース材と少なくとも一つの粘着層を有するウェブ状物品を切断するためのふっ素樹脂被覆刃物において、刃先先端のふっ素樹脂が刃物本体へのふっ素樹脂被覆後に微小幅除去されて刃先先端から所定の幅だけ刃物本体が露出していることを特徴とするふっ素樹脂被覆刃物。
【請求項２】
刃先先端のふっ素樹脂が刃物本体へのふっ素樹脂被覆後に微小幅除去されたことによって刃物本体が露出している部分の刃先先端からの露出幅が被切断物である粘着層を有するウェブ状物品のベース材の厚さ以下であることを特徴とする請求項１に記載のふっ素樹脂被覆刃物。
【請求項３】
刃先先端のふっ素樹脂が刃物本体へのふっ素樹脂被覆後に微小幅除去されたことによって刃物本体が露出している部分の刃先先端からの露出幅が５μｍ〜５０μｍであることを特徴とする請求項１に記載のふっ素樹脂被覆刃物。
【発明の詳細な説明】
【技術分野】
【０００１】
本発明は、ベース材と粘着層を有する複層のウェブ状物品を切断するときに粘着層を形成している粘着剤が刃物の側面に付着する現象を軽減すると共に、粘着層自体が刃物へ貼着してしまうと言うような現象を防ぐために刃物の表面にふっ素樹脂を被覆したふっ素樹脂被覆刃物に関するものである。
【背景技術】
【０００２】
例えば、紙や樹脂フィルム、銅箔、アルミ箔等のようなウェブ類をベース材としてその一方の表面に粘着剤が塗布されているウェブ状物品や、前記のようなウェブ類が少なくとも２枚、粘着層によって重ね合わせられているようなウェブ状物品を切断するときには、ウェブ類に塗布されている粘着剤が刃物表面に付着したり、粘着層が直接刃物表面に貼り付いてしまい、刃物の移動に伴ってベース材と粘着層が剥離してしまったり、切り口が歪んでしまうというようなトラブルを防ぐために刃物の表面にふっ素樹脂等が被覆された刃物が利用されている。
【特許文献１】特開平８−１９７４８７号公報
【特許文献２】特開２０００−３２６２８１号公報
【発明の開示】
【発明が解決しようとする課題】
【０００３】
近年においては、各種装置や機器類の小型軽量化が急速に進んでおり、これらの装置や機器類の内部で電子部品として使用されるテープ状の粘着部品等の厚さも限りなく薄いものであることが求められ、その結果、厚さが２０μｍ程度の粘着ウェブ（粘着層を有するウェブ状物品）を精度良く切断することが求められるようになってきた。
【０００４】
一方、前記したウェブ類が複数枚それぞれのウェブ類の間に粘着層を介在させて重ねられている積層ウェブ（粘着層を有するウェブ状物品）とされた電子部品類も各種開発されており、例えば、５〜７層の積層ウェブで厚さが０．５ｍｍ程度、或はそれ以上の厚さの積層ウェブを精度良く切断することも必要になっている。
【０００５】
そして、いずれの場合においても従来と同様に、粘着層を形成している粘着剤が刃物表面に付着してしまうことや粘着層が刃物表面に貼着してしまうと言うような現象を防止するために刃物本体にふっ素樹脂等が被覆された刃物を用いることが求められる。また、粘着層を有するウェブ状物品を切断する刃物としては、主に１５度〜３０度程度の鋭角な刃先を備えた刃物が用いられる。
【０００６】
一方、刃物本体へのふっ素樹脂の被覆厚さは刃物本体との密着安定性の観点から２０μｍ〜３０μｍの厚さで被覆することが好ましいとされている。しかし、１５度〜３０度程度の鋭角な刃先を備えた刃物に対してふっ素樹脂を２０μｍ〜３０μｍの厚さで被覆した場合には図８に図面に替わる写真で示すように、ふっ素樹脂が刃物の刃先方向（矢印Ｋ方向）で高低段差が１０μｍ前後、厚さ方向（紙面に直角な方向）で４０μｍ〜５０μｍ程度の不規則な凸凹状の盛り上がりＴとなって肉盛状態で刃物本体の刃先先端の外側に連続して付着してしまう。このように刃先先端の外側に不規則に連続してふっ素樹脂が付着している刃先は前記した薄い粘着ウェブや厚い積層ウェブを精度良く正確に切断するためには不向きな刃先となってしまう。そのためにこのように刃先本体の外側に連続して付着しているふっ素樹脂を除去し、刃物本体の刃先を露出させてやることが必要になってくる。尚、図８は刃先が２０度に仕上げられているスコアカッター用丸刃の表面にふっ素樹脂が被覆された丸刃の刃先の側面を５００倍に拡大した走査型電子顕微鏡による写真である。
【０００７】
これに対して、従来技術として前記した特開平８−１９７４８７号公報（特許文献１）には刃先先端の角度を４０度以下にした刃物の先端部以外の部分にふっ素樹脂を被覆（塗布）した丸刃について記載されているが、このように先端部を除いてふっ素樹脂を被覆する方法で被覆された刃物の被覆されていない刃先部分の刃先先端からの幅は出来る限り狭くしようとしても１ｍｍ程度が限度であり、それより狭くしようとする場合にはマスキング等の作業が極端に細い作業となり工業的には現実的なものではなくなる。このように刃先先端部に１ｍｍ以上の幅でふっ素樹脂が被覆されていない部分が存在する刃物で前記のような粘着層を有するウェブ状物品を切断することはふっ素樹脂を被覆していない刃物で切断するのと同じ結果となり、粘着剤の刃物表面への付着や、粘着層の刃物表面への貼り付き現象等を防止することを目的として施したふっ素樹脂の被覆の効果はほとんど期待できないものとなってしまう。
【０００８】
図９はスコアカッターでウェブ状物品６をスリットするときの概略を示す図であり、互いに回転するスコアカッター用丸刃１と回転ロール２とによってその間に通されたウェブ状物品６が流れに従って切断されるようになっている。
【０００９】
図１０は、ベース材７となるウェブ類の厚さが２０μｍでその片面に約３０μｍの厚さで粘着剤が塗布されている粘着層８を有するウェブ状物品６をそのベース材７がスコアカッターの回転ロール２側となり粘着層８がスコアカッター用丸刃１側となるような向きで、刃先先端部に約１ｍｍの幅でふっ素樹脂が被覆されていない部分が存在するスコアカッター用丸刃１と回転ロール２との間に通しながらスリットしてゆく場合のスコアカッター用丸刃１の刃先のある一点Ａのウェブ状物品６に対する位置関係を順を追って断面として表した図であり、図１０の（ａ）が粘着層８側からの刃先のある一点Ａの切り込み開始の状態を示す図であり、図１０の（ｂ）は刃先のある一点Ａが下死点まで進み、刃先のある一点Ａがベース材７の下面に至り切断が完了した状態を示す図であり、図１０の（ｃ）は刃先の上昇が進み刃先のある一点Ａがウェブ状物品６から離れて行こうとする状態を示す図である。また、図１１は図１０の（ａ）（ｂ）（ｃ）の状態をスコアカッター用丸刃１の側面側から見てそれぞれのある一点Ａをａ、ｂ、ｃ、で示した図である。
【００１０】
図１１から判るように、ふっ素樹脂が被覆されていない刃先側面には刃先のある一点Ａが下死点まで進む間に粘着剤の付着や粘着層の貼着現象が誘発されるが、刃先はベース材７側に向かって進んでおり、刃先側面に接している粘着層８はベース材７側に押されるのでこのときにはベース材７と粘着層８との間に剥離現象等は起こらないが、刃先のある一点Ａが下死点を過ぎて上昇が進むにつれて刃先側面によって粘着層８は引き上げられる方向の力を受けることになる。この粘着層８を引き上げようとする力は切断開始当初は余り大きなものとはならないが、時間の経過と共に粘着剤の刃物側面への付着量が多くなるに従って粘着層８を引き上げようとする力も大きくなり、やがては図１２に示すようにベース材７と粘着層８との間に剥離現象が現れたり、或はウェブ状物品６に皺が発生し、その結果切り口が乱れてしまうと言うような問題が起きる。
【００１１】
また、別の従来技術として前記した特開２０００−３２６２８１号公報（特許文献２）には、ふっ素樹脂の被覆厚さを１μｍとしたマスキングテープ切断用のレザー刃の例が記載されているが、１μｍ程度の厚さでふっ素樹脂を刃物本体に被覆した場合にはふっ素樹脂が刃先本体の外側に延びて不規則な鋸刃形状の盛り上がりとなってしまうと言うような現象は起こらないので刃先先端を露出させる必要はないが、近年種々の電子部品として新しく開発されている粘着層を有するウェブ状物品を長期間にわたって精度よく、かつ正確に切断するのに好適な刃物とするためにふっ素樹脂の被覆厚さを２０μｍ〜３０μｍとした場合には前記同様に、刃物本体の外側に延びて付着しているふっ素樹脂を除去し、刃物本体の刃先を露出させてやることが必要になってくる。
【課題を解決するための手段】
【００１２】
本発明は、少なくとも一つのベース材と少なくとも一つの粘着層を有するウェブ状物品を切断するためのふっ素樹脂被覆刃物において、刃先先端のふっ素樹脂が刃物本体へのふっ素樹脂被覆後に微小幅除去されて刃先先端から所定の幅だけ露出しているふっ素樹脂被覆刃物を提供することによって上記課題を解決する。
【００１３】
また、本発明は、少なくとも一つのベース材と少なくとも一つの粘着層を有するウェブ状物品を切断するためのふっ素樹脂被覆刃物において、刃先先端のふっ素樹脂が刃物本体へのふっ素樹脂被覆後に微小幅除去されたことによって刃物本体が露出している部分の刃先先端からの露出幅が被切断物である粘着層を有するウェブ状物品のベース材の厚さ以下であるふっ素樹脂被覆刃物を提供することによって上記課題を解決する。
【００１４】
更に、少なくとも一つのベース材と少なくとも一つの粘着層を有するウェブ状物品を切断するためのふっ素樹脂被覆刃物において、刃先先端のふっ素樹脂が刃物本体へのふっ素樹脂被覆後に微小幅除去されたことによって刃物本体が露出している部分の刃先先端からの露出幅が５μｍ〜５０μｍの範囲にあるふっ素樹脂被覆刃物を提供することによって解決される。
【発明の効果】
【００１５】
本発明によれば、ふっ素樹脂被覆刃物の刃先先端のふっ素樹脂が刃物本体へのふっ素樹脂被覆後に微小幅除去されて刃物本体が刃先先端から所定の幅だけ露出しているふっ素樹脂被覆刃物とするようにしたので、刃物本体の刃先をふっ素樹脂被覆前に刃欠けやバリ等がない鋭利な刃先に仕上げておくことにより、粘着層を有するウェブ状物品を切断するためのふっ素樹脂被覆刃物が容易に得られるようになり、数１０μｍ程度の薄い粘着ウェブのみならず０．５ｍｍ程度の厚い積層ウェブであっても精度よく確実に切断することができる刃物を得ることが出来るようになる。
【００１６】
また、ふっ素樹脂被覆後に研磨テープ等により刃先側のふっ素樹脂を除去することにより刃物本体が露出している部分の刃先先端からの露出幅を５μｍ〜５０μｍ程度まで微小とすることができるのでベース材に塗布されている粘着剤が刃物表面に付着する現象は起こり難くなる。また、粘着層が直接刃物表面に貼り付いてしまう現象も起こり難くなるので粘着層を有するウェブ状物品を精度よく綺麗に切断することが可能になる。
【００１７】
また、前記した特開平８−１９７４８７号公報（特許文献１）に示されているゲーベル式のカッター用の丸刃、或は押し切り用の直刃等による切断の場合には刃先先端からの露出幅を粘着層を有するウェブ状物品のベース材の厚さ以下としておくことにより、ベース材に塗布されている粘着剤が刃物表面に付着する現象や、粘着層が直接刃物表面に貼り付いてしまう現象も防げるので前記同様に粘着層を有するウェブ状物品を精度よく綺麗に切断することが可能になる。
【発明を実施するための最良の形態】
【００１８】
図１の（ａ）は図８に示した刃物、つまり、丸刃の表面にふっ素樹脂が２０μｍ〜３０μｍの厚さで被覆されているスコアカッター用丸刃の刃先（矢印Ｋ方向）を研磨テープ等を利用した研削装置によって刃先先端にあるふっ素樹脂を除去し、刃先先端から微小幅だけ刃物本体を露出させた場合の刃先側面を５００倍に拡大した写真（走査型電子顕微鏡写真）であり、写真から判るように刃物本体が露出している部分の刃先先端からの露出幅は１０μｍ程度となっている。また、同じく図１の（ｂ）は刃物本体が露出している部分の刃先先端からの露出幅を３０μｍ程度としたものの写真である。
【００１９】
図２は、前記した図１０と同様に、ベース材７となるウェブ類の厚さが２０μｍでその片面に約３０μｍの厚さで粘着剤が塗布されている粘着層８を有するウェブ状物品６をそのベース材７がスコアカッターの回転ロール２側となり、粘着層８がスコアカッター用丸刃１側となるような向きで、図１に示す本発明に係るスコアカッター用丸刃１と回転ロール２との間に通しながらスリットしてゆく場合のスコアカッター用丸刃１の刃先のある一点Ａのウェブ状物品６に対する位置関係を順を追って断面として表した図であり、図２の（ａ）が粘着層８側からの刃先のある一点Ａの切り込み開始状態を示す図であり、図２の（ｂ）は刃先のある一点Ａが下死点まで進み刃先のある一点Ａがベース材７の下面に至り切断が完了した状態を示す図であり、図２の（ｃ）は刃先の上昇が進み刃先のある一点Ａがウェブ状物品６から離れて行こうとする状態を示す図である。また、図３は図２の（ａ）（ｂ）（ｃ）の状態をスコアカッター用丸刃１の側面側から見てそれぞれのある一点Ａをａ、ｂ、ｃ、で示したものである。
【００２０】
図３から判るように、本発明に係るスコアカッター用丸刃１では、刃物本体が露出している部分の刃先先端からの露出幅は約１０μｍとなっているので刃先のある一点Ａが２０μｍの厚さのベース材７の下面にあるときでも粘着層８はスコアカッター用丸刃１のふっ素樹脂被覆部分９と接触することになるのでスコアカッター用丸刃１の側面への粘着剤の付着はほとんど起こらず、その後の刃先のある一点Ａの上昇によっても図３に示す通りスコアカッター用丸刃１の刃先のある一点Ａはスムーズにウェブ状物品６から抜け出て行き、ベース材７と粘着層８との間に剥離現象が起きたり、或はウェブ状物品６に皺が発生し、その結果切り口が歪んでしまう等の問題は起こらない。
【００２１】
図４は、図２及び図１０に示したスコアカッター用丸刃１とウェブ状物品６の粘着層８との切断面との接触関係を比較するためにスコアカッター用丸刃１を側面側から見た状態を示す概略図であり、図４の（ａ）が本発明のスコアカッター用丸刃の場合を示し、図４の（ｂ）が図１０に示したスコアカッター用丸刃の場合を示している。図４から判るように本発明のスコアカッター用丸刃では刃物本体の露出部と粘着層８との接触面Ｓが格段に少なくなることが理解出来る。
【００２２】
図５はウェブ類が３層でそれぞれの間に粘着層８が介在して積層ウェブ（粘着層を有するウェブ状物品）とされた電子部品を本発明に係るスコアカッター用丸刃１でスリットする場合のスコアカッター用丸刃１を側面側から見た状態を示す概略図であり、この場合も
本発明のスコアカッター用丸刃であれば刃物本体の露出部と粘着層８との接触面Ｓ１、Ｓ２、が格段に少なくなることが理解出来る。
【００２３】
尚、これまで説明してきたスコアカッターについてはスコアカッター用丸刃１の刃先と回転ロール２の外周面とが上下で丁度接触するような図面を用いて説明して来たが、一般的には切断装置の精度誤差や回転軸の心振れ等が原因で発生する径方向での刃先の振れを考慮してスコアカッター用丸刃１の刃先を回転ロール２の外周面に若干食い込ませるようにして切断するようにしている。その場合には尚更のこと本発明によるふっ素樹脂被覆刃物が有効になって来る。
【００２４】
次に、図６はゲーベル式のカッター装置の薄丸刃３に本発明に係るふっ素樹脂被覆刃物を採用した場合の一例を説明するための図である。図６に示すように、ゲーベル式のカッターは円筒状の丸刃４と薄丸刃３とによって被切断ウェブを複数条にスリットするようにした切断装置であり、円筒状の丸刃４の刃先と薄丸刃３の刃先とは０．５〜０．７ｍｍ程度上下方向にラップさせて回転させるのが一般的である。この刃先同士のラップ量は切断中に薄丸刃３の刃先が円筒状の丸刃４の外周面に乗り上げてしまうような事故を防ぐために必要とされている。
【００２５】
図６において、円筒状の丸刃４と本発明に係るふっ素樹脂被覆刃物である薄丸刃３との間には粘着層８を有するウェブ状物品６が、ベース材７が円筒状の丸刃４側となり粘着層８が薄丸刃３側となるような向きで通され、流れに従って複数条にスリットされるようになっている。そして、本発明に係る薄丸刃３の刃先先端はふっ素樹脂が所定の幅だけ除去されて鋭利な刃先とされているので粘着層を有するウェブ状物品６は正確に切断される。しかし、前記した通り、円筒状の丸刃４の刃先と薄丸刃３の刃先とは０．５〜０．７ｍｍも上下にラップしているので薄丸刃３の刃先側面のふっ素樹脂被覆部分９は円筒状の丸刃４の刃先と擦れ合う部分でいずれはふっ素樹脂が削り落とされ刃物本体が露出してしまうことは避けられない。そのために、薄丸刃３の刃先のうちで円筒状の丸刃４の刃先と擦れ合う側の側面に対しては従来と同様にシリコンや水等を吹き付けるか、或はその他の方法で粘着剤の付着を防ぐ手段を講じざるを得ないが、薄丸刃３の背側は本発明に係るふっ素樹脂被覆刃物の状態を維持し続けるので、薄丸刃３の背側には粘着剤の付着や粘着層８の貼り付き現象は起こり難いのでシリコンや水等を吹き付ける作業は一側面だけに注意を払えばよいことになる。
【００２６】
図７は押し切り用の直刃に本発明に係るふっ素樹脂被覆刃物を採用した場合の一例を説明するための図である。図７に示すように押し切りは、上面が平らな受け台１０に押し切り用の直刃５の刃先と相対峙して設けられている溝に嵌め込まれた受木１１に向かって押し切り用の直刃５を上方から直角に押し付けることによって受け台１０の上に置かれた被切断シートを受木１１と押し切り用の直刃５の刃先とによって切断するようにしたものである。
【００２７】
図７において、少なくとも２つのウェブ類からなりその間に粘着層８を有しているウェブ状物品（シート）６は受け台１０の上に置かれている。そして、この場合の押し切り用の直刃５も刃物本体へのふっ素樹脂が被覆された後にふっ素樹脂が微小幅除去されたことによって刃物本体が露出している部分の刃先先端からの露出幅は粘着層を有するウェブ状物品６のベース材７の厚さよりも小さい値とされており、その効果は前記したスコアカッターの場合と同様である。尚、押し切り用の直刃の場合でも、スコアカッター用丸刃の場合でも、刃角を含め、刃先形状は説明のために例示した形状に限定されるものではなく、また、両刃、及び、片刃の両方の刃形があることも当然である。
【００２８】
次に、本発明に係るふっ素樹脂被覆刃物においては刃物本体へのふっ素樹脂被覆後に微小幅除去されたことによって刃物本体が露出している部分の刃先先端からの露出幅は５μｍ〜５０μｍとした。これは、露出幅が５０μｍ以上になるとたとえベース材の厚さよりも小さい値だとしても粘着剤の粘着力の強弱にもよるが露出部分に粘着層が付着し易くなり、本発明の効果が少なくなって来るためである。また、粘着層を有するウェブ状物品のベース材の厚さは１０μｍ〜５０μｍ程度が一般的であることも露出幅を５μｍ〜５０μｍとした理由である。また、ベース材の厚さには直接影響のない方向に切断を行うレザー刃の場合にも刃先の露出幅を５μｍ〜５０μｍとしておくことによって同様に刃先への粘着剤の付着が軽減される効果があることは当然である。
【図面の簡単な説明】
【００２９】
【図１】本発明に係るスコアカッター用丸刃の刃先側面の拡大写真である。
【図２】本発明に係るスコアカッター用丸刃で粘着層を有するウェブ状物品を切断する状態を説明するための図である。
【図３】本発明に係るスコアカッター用丸刃で粘着層を有するウェブ状物品を切断する状態を説明するための図である。
【図４】スコアカッター用丸刃と粘着層の切断面との接触関係を比較するための概略図である。
【図５】本発明に係るスコアカッター用丸刃でウェブ類が３層からなる積層ウェブを切断する状態を説明するための図である。
【図６】本発明に係るゲーベル式の薄丸刃で粘着層を有するウェブ状物品を切断する状態を説明するための図である。
【図７】本発明に係る押し切り用直刃で粘着層を有するウェブ状物品を切断する状態を説明するための図である。
【図８】ふっ素樹脂が被覆されたスコアカッター用丸刃の刃先側面の拡大写真である。
【図９】スコアカッターを説明するための図である。
【図１０】従来のスコアカッター用丸刃で粘着層を有するウェブ状物品を切断する状態を説明するための図である。
【図１１】従来のスコアカッター用丸刃で粘着層を有するウェブ状物品を切断する状態を説明するための図である。
【図１２】ベース材と粘着層との間に起きる剥離現象を示す図面である。
【符号の説明】
【００３０】
１    スコアカッター用丸刃
２    回転ロール
３    薄丸刃
４    円筒状の丸刃
５    押し切り用の直刃
６    ウェブ状物品
７    ベース材
８    粘着層
９    ふっ素樹脂被覆部分
１０  受け台
１１  受木
Ｔ    鋸刃形状の盛り上がり
【図１】
2005288583.tif 000003
【図２】
2005288583.tif 000004
【図３】
2005288583.tif 000005
【図４】
2005288583.tif 000006
【図５】
2005288583.tif 000007
【図６】
2005288583.tif 000008
【図７】
2005288583.tif 000009
【図８】
2005288583.tif 000010
【図９】
2005288583.tif 000011
【図１０】
2005288583.tif 000012
【図１１】
2005288583.tif 000013
【図１２】
2005288583.tif 000014